(57)【要約】【課題】多様なドア、多様なヒンジにも対応でき、意匠性に優れ、かつ新設ドアのみならず既設ドアに対しても取付可能な指挟み防止装置及びこれを備えたドア構造を提供する。【解決手段】ドアを開ける又は閉じる際、ドア枠の吊元側縦枠又は縦枠補助部材とドアの吊元側との間に生じる隙間に、指が挟まれることを防止するものであり、隙間を覆う覆い部１０と、吊元側縦枠又は縦枠補助部材に取付けられ、覆い部１０を回動可能に連結する取付部２０と、を備える。覆い部は、ドア表面方向に押し付けられるように付勢されている構成とする。【選択図】図１
2008002097.tif 000002
【特許請求の範囲】
【請求項１】
ドアを開ける又は閉じる際、ドア枠の吊元側縦枠又は縦枠補助部材とドアの吊元側との間に生じる隙間に、指が挟まれることを防止する指挟み防止装置であって、
前記隙間を覆う覆い部と、吊元側縦枠又は縦枠補助部材に取付けられ、覆い部を回動可能に連結する取付部と、を備え、
前記覆い部は、ドア表面方向に押し付けられるように付勢されている構成とされた、
ことを特徴とする指挟み防止装置。
【請求項２】
ドアを開ける又は閉じる際にドアの框又は面材の吊元側端縁部と摺接する、前記覆い部のドア表面に対向する面に、この吊元側端縁部を保護する保護部材が取付けられた、請求項１記載の指挟み防止装置。
【請求項３】
前記覆い部の戸先側には、覆い部に対して回動自在なローラーが取付けられ、
この覆い部は、ドアの框又は面材の表面に前記ローラーが摺接するように構成された、請求項１又は２記載の指挟み防止装置。
【請求項４】
ドア枠と、このドア枠に対して丁番、フロアヒンジ若しくはピボットヒンジにより開閉自在に取付けられたドアと、を有し、
前記ドア枠の吊元側縦枠又は縦枠補助部材に、請求項１乃至３のいずれか１項記載の指挟み防止装置を取付けたことを特徴とするドア構造。
【発明の詳細な説明】
【技術分野】
【０００１】
本発明は、指挟み防止装置及びこれを備えたドア構造に関するものである。
【背景技術】
【０００２】
従来から、ドア開閉時におけるドア吊元側と吊元側縦枠との隙間を塞ぎ、指挟み事故を未然に防止するものとして、例えば、丁番によって縦枠に固定されたドアの場合、ドア吊元側と吊元側縦枠との間に、指挟みを防止するための遮蔽板を取付け、ドアが開閉する際に生じるドア吊元側と吊元側縦枠との隙間を覆うもの（例えば、特許文献１参照）がある。
【特許文献１】実開平０７−０１０３５２号公報
【発明の開示】
【発明が解決しようとする課題】
【０００３】
しかしながら、上記発明は、フラッシュドア、框組みのドアだけでなく、框や枠のない強化ガラスドアにも対応できるものではなかった。また、上記発明は、丁番によって縦枠に固定されたドアの場合を主に考えられており、フロアヒンジ、ピボットヒンジ形式の場合の指挟みの防止について考慮されているものではない。さらに、正面から見たときの意匠性に優れるものではないという問題点があった。
そこで、本発明の主たる課題は、上記課題を解決するためのものであり、多様なドア、多様なヒンジにも対応でき、意匠性に優れた指挟み防止装置及びこれを備えたドア構造を提供することにある。
【課題を解決するための手段】
【０００４】
上記課題を解決した本発明は、次のとおりである。
＜請求項１記載の発明＞
請求項１記載の発明は、ドアを開ける又は閉じる際、ドア枠の吊元側縦枠又は縦枠補助部材とドアの吊元側との間に生じる隙間に、指が挟まれることを防止する指挟み防止装置であって、前記隙間を覆う覆い部と、吊元側縦枠又は縦枠補助部材に取付けられ、覆い部を回動可能に連結する取付部と、を備え、前記覆い部は、ドア表面方向に押し付けられるように付勢されている構成とされた、ことを特徴とする指挟み防止装置である。
【０００５】
＜請求項２記載の発明＞
請求項２記載の発明は、ドアを開ける又は閉じる際にドアの框又は面材の吊元側端縁部と摺接する、前記覆い部のドア表面に対向する面に、この吊元側端縁部を保護する保護部材が取付けられた、請求項１記載の指挟み防止装置である。
【０００６】
＜請求項３記載の発明＞
請求項３記載の発明は、前記覆い部の戸先側には、覆い部に対して回動自在なローラーが取付けられ、この覆い部は、ドアの框又は面材の表面に前記ローラーが摺接するように構成された、請求項１又は２記載の指挟み防止装置である。
【０００７】
（作用効果）
隙間を覆う覆い部と、吊元側縦枠又は縦枠補助部材に取付けられ、覆い部を回動可能に連結する取付部と、を備え、覆い部はドア表面方向に押し付けられるように付勢されている構成とすることにより、常に、吊元側縦枠とドアの吊元側との間に生じる隙間を覆うことができる。さらに、取付部をドア枠の吊元側縦枠又は縦枠補助部材に取付ればよいので、新設ドアのみならず既設ドアに対しても適用ができる。
また、ドアを開ける又は閉じる際にドアの框又は面材の吊元側端縁部と摺接する、覆い部のドア表面に対向する面に、この吊元側端縁部を保護する保護部材が取付けられていることにより、例えば、外開きのドアのドア吊元側縦枠の室内側に本願発明の指挟み防止装置を取付けた場合、ドアの框又は面材の吊元側端縁部の傷つきの防止を図ることができる。
さらに、覆い部の戸先側に、覆い部に対して回動自在なローラーが取付け、この覆い部をドアの框又は面材の表面にローラーが摺接するように構成することにより、例えば、外開きのドアのドア吊元側縦枠の室外側に本願発明の指挟み防止装置を取付けた場合、ドアの開閉の際に、ドアの動きが滑らかになり、かつドアの框又は面材の表面に傷をつけないようにすることができる
【０００８】
＜請求項４記載の発明＞
請求項４記載の発明は、ドア枠と、このドア枠に対して丁番、フロアヒンジ若しくはピボットヒンジにより開閉自在に取付けられたドアと、を有し、前記ドア枠の吊元側縦枠又は縦枠補助部材に、請求項１乃至３のいずれか１項記載の指挟み防止装置を取付けたことを特徴とするドア構造である。
【発明の効果】
【０００９】
本発明によれば、多様なドア、多様なヒンジにも対応でき、意匠性に優れ、かつ新設ドアのみならず既設ドアに対しても取付できる等の利点がもたらされる。
【発明を実施するための最良の形態】
【００１０】
＜フロアヒンジの場合の実施の形態＞
以下、本発明について、図１乃至図５、及びフロアヒンジの両開きドアの実施の形態（図６乃至図８）に基づき説明する。
本発明に係る指挟み防止装置は、図１乃至図５、及び図６乃至図８に示すように、ドア５０Ｌ，５０Ｒを開ける又は閉じる際、ドア枠の吊元側縦枠５１，５１とドア５０Ｌ，５０Ｒの吊元側との間に生じる隙間を覆う覆い部１０と、吊元側縦枠５１，５１に取付けられ、覆い部１０を回動可能に連結する取付部２０と、を備え、図２に示すように、覆い部１０はドア５０Ｌ，５０Ｒ表面方向に押し付けられるようにバネ３０により付勢されている構成である。
【００１１】
覆い部１０は、一部材で構成されていてもよいし、二以上の部材から構成されていてもよい。本実施の形態では、図１及び図５に示すように、覆い部１０は、ドア枠の吊元側縦枠５１，５１とドア５０Ｌ，５０Ｒの吊元側との間に生じる隙間を覆う覆い材２と、隙間を覆うと共に、覆い材２を保持する覆い材保持部１と、を有している。ただし、前述したように、本発明はこれに限定されるものではない。
【００１２】
覆い保持部１は、図１乃至図５、及び図６乃至図８に示すように、断面弓形若しくは弧状で、一方端（吊元側）にピン（図示せず）を挿入するための管部１１Ｃが形成された保持部本体１１と、この保持部本体１１のドア５０Ｌ，５０Ｒ表面に対向する面に取付けられ、ドア５０Ｌ，５０Ｒを開ける又は閉じる際にドア５０Ｌ，５０Ｒの框（框のないドアの場合には面材）の吊元側端縁部に摺接する保護部材１２と、保持部本体１１の他方端（戸先側）に取付けられ、ドア５０Ｌ，５０Ｒを開ける又は閉じる際に、ドア５０Ｌ，５０Ｒの框の表面に摺接して回動するローラー１３と、を備えている。
【００１３】
保持部本体１１には、図１及び図２に示すように、上端部と下端部とに覆い材を嵌め入れるための上部嵌合溝１１Ａ及び下部嵌合溝１１Ｂが形成されている。これら溝１１Ａ，１１Ｂが上端部と下端部とに両方形成されていることにより、図７に示すように、ドア５０Ｌ，５０Ｒの上部や下部だけでなく、覆い材２を上下に嵌めこまなければならない中間部分にも用いることができる。したがって、後述する覆い材２の長さ調整に加えて、覆い保持部１を複数個介在させることにより、どのような高さのドアにも本発明に係る指挟み防止装置を取付けることができる。ただし、保持部本体１１と覆い材２との固定について、本発明は嵌合に限定されるものではない。
【００１４】
保持部本体１１は、図１に示すように、本実施の形態では、断面弓若しくは弧形状である。ドア５０Ｌ，５０Ｒを開ける又は閉じる際に、ドアの框の吊元側端部に摺接する側に覆い保持部１を取付けた場合、具体的には、例えば、図８（１）乃至（３）に示すように、外開きのドア５０Ｌのドア吊元側縦枠５１の室内側に本願発明の指挟み防止装置を取付けた場合、断面弓若しくは弧形状であることにより、平板形状のものに比べて覆い材保持部１の開き度合いを抑えることができる。なお、保持部本体１の戸先側や一部において、ドア５０Ｌの表面側に接近するような形状となっていればよいので、本発明に係る保持部本体１１の形状は断面弓若しくは弧形状に限定されるものではない。
【００１５】
保持部本体１１の吊元側に形成された管部１１Ｃは、図１及び図２に示すように、ピン（図示せず）を挿入して取付部２０に対して保持部本体１１が回動可能に連結されるためのものである。ここで、保持部本体１１は取付部２０とバネ３０を介して、常にドア５０Ｌ，５０Ｒ表面方向に保持部本体１１が押し付けられるように連結されているので、図８（１）乃至（３）に示すように、ドア５０Ｌ，５０Ｒの框の表面に常に一部が接し、吊元側縦枠とドアの吊元側との間に生じる隙間を覆うようになっている。また、保持部本体１１の吊元側には、管部１１Ｃのドア表面側の一部を覆うように凸部１１Ｄが形成されている。  
【００１６】
保護部材１２は、図１及び図２に示すように、保持部本体１１の内周面（ドア表面に対向する面）に取付けられ、ドア５０Ｌ，５０Ｒを開ける又は閉じる際に、ドア５０Ｌ，５０Ｒの框（框のないドアの場合には面材）の吊元側端縁部に摺接する側に覆い保持部１を取付けた場合、具体的には、例えば、図８（１）乃至（３）に示すように、外開きのドア５０Ｌのドア吊元側縦枠５１の室内側に本願発明の指挟み防止装置を取付けた場合の、ドア５０Ｌの框吊元側端縁部の傷つきの防止を図るものである。保護部材１２の吊元側には、図２に示すように、ピンを挿入して取付部に対して回動可能に連結されるためのリング部１２Ａが形成されている。また、ドアの框の吊元側端縁部と確実に摺接させるために、保護部材１２は全体的に保持部本体１１の表面よりもドア表面側に張り出すように取付けられている。保護部材１２の材質としては、ゴム等の柔軟性や弾力性がある軟質樹脂などを用いるのが好適である。
【００１７】
ローラー１３は、図１乃至図４に示すように、保持部本体１１の戸先側で、かつ保持部本体１１に対して回動自在に取付けられている。これは、ドア５０Ｌ，５０Ｒを開ける又は閉じる際に、ドア５０Ｌ，５０Ｒの框の表面に保持部本体１１の戸先側が摺接する側に覆い保持部１を取付けた場合、具体的には、例えば、図８（１）乃至（３）に示すように、外開きのドア５０Ｌのドア吊元側縦枠５１の室外側に本願発明の指挟み防止装置を取付けた場合、ドア５０Ｌの開閉の動きが滑らかになり、かつドア５０Ｌの框の表面に傷をつけないようにすることができる。ローラー１３の材質としては、ゴム等の柔軟性や弾力性がある軟質樹脂などを用いるのが好適である。
【００１８】
取付部２０は、図１乃至図５に示すように、平板状であり、吊元側縦枠５１にビスによって取付けられる。この取付部２０には管部２０Ａが形成され、ピンを挿入して保持部本体１１を回動可能に連結することができる。  
【００１９】
取付部２０は、図６に示すように、覆い保持部１，１の室内側と室外側のそれぞれに別に設けられている。ただし、これに限られず、図示はしないが、１枚の取付部２０に対して室内側と室外側のそれぞれの覆い保持部１，１を取付けてもよい。
【００２０】
覆い材２は、図７に示すように、上方に配置された覆い保持部１と下方に配置された覆い保持部１との間に挟まれて連結されて固定されるものである。具体的には、覆い材２の上端部と下端部とをそれぞれ、上部嵌合溝１１Ａ及び下部嵌合溝１１Ｂに嵌合させればよい。この覆い材２は、取付けるドアの高さに合わせて長さを決めればよく、どのような高さのドアに対しても対応できるようになっている。材質としては、例えば、ポリカーボネイト等で構成することができ、この場合、長さは現場合わせで加工することができる。また、保持部本体１１とは嵌合することによって固定されているので、破損した場合でも取替えが容易である。また、取付ける覆い材材質や色等を容易に取替えることができるので、意匠性に優れたものとすることができ、さらに模様替え等の際でも便利である。なお、覆い材２を透光性材質とすることにより、ドアの可動部（例えば、ドア吊元側縦枠）を目視することができるため、商品の安全性を高めることができる。
【００２１】
＜その他＞
本発明に係る指挟み防止装置は、フロアヒンジの場合だけでなく、丁番によって固定された場合やピボットヒンジによって取付けられたドア構造でも適用することができる。図９及び図１０（１）乃至（３）には、ドア枠の吊元側縦枠６１にドア６０が丁番６３によって固定されたドア構造の場合について示してある。この場合、吊元側縦枠６１には、ドア６０を閉じた状態で、ドア６０の框（框のないドアの場合には面材）の吊元側端部と当接し気密又は水密にするタイト材が設けられている部材である縦枠補助部材６２が取付けられている。そのため、取付部２０は、室内側と室外側の覆い保持部１にそれぞれ別に設けられている。
【００２２】
ドア枠の吊元側縦枠６１にドア６０が丁番６３によって固定されたドア構造では、例えば、外開きドアの場合、ドア枠の吊元側縦枠６１とドア６０の吊元側との間に生じる隙間は室内側に主に生じるので、室内側にのみ本発明に係る指挟み防止装置を取付けるようにしてもよい。なお、その他については、フロアヒンジの場合と同様なので説明を省略する。
【００２３】
図１１及び図１２（１）乃至（３）には、ドア枠の吊元側縦枠７１にドア７０がピボットヒンジ７３によって取付けられたドア構造の場合について示してある。符号７２は、縦枠補助部材である。説明は、フロアヒンジの場合や丁番によって固定された場合と同様のため省略する。
【図面の簡単な説明】
【００２４】
【図１】本発明に係る指挟み防止装置の平面図である。
【図２】指挟み防止装置の内周面側（Ｉ方向）から見た立面図である。
【図３】指挟み防止装置の正面側（ＩＩ方向）から見た立面図である。
【図４】指挟み防止装置のＩＩＩ方向から見た立面図である。
【図５】指挟み防止装置のＩＶ方向から見た立面図である。
【図６】フロアヒンジの両開きドアのドア構造に取付けた状態の平面図である。
【図７】その正面図である。
【図８】そのドアが開く際の指挟み防止装置の動きを示す部分平面図である。
【図９】丁番によって固定されたドア構造に指挟み防止装置を取付けた状態の平面図である。
【図１０】そのドアが開く際の指挟み防止装置の動きを示す部分平面図である。
【図１１】ピボットヒンジのドア構造に取付けた状態の平面図である。
【図１２】そのドアが開く際の指挟み防止装置の動きを示す部分平面図である。
【符号の説明】
【００２５】
１…覆い材保持部、２…覆い材、１１…保持部本体、１１Ａ…上部嵌合溝、１１Ｂ…下部嵌合溝、１１Ｃ…管部、１１Ｄ…凸部、１２…保護部材、１２Ａ…リング部、１２Ｂ…凸部、１３…ローラー、２０…取付部、２０Ａ…管部、３０…バネ。
【図１】
2008002097.tif 000003
【図２】
2008002097.tif 000004
【図３】
2008002097.tif 000005
【図４】
2008002097.tif 000006
【図５】
2008002097.tif 000007
【図６】
2008002097.tif 000008
【図７】
2008002097.tif 000009
【図８】
2008002097.tif 000010
【図９】
2008002097.tif 000011
【図１０】
2008002097.tif 000012
【図１１】
2008002097.tif 000013
【図１２】
2008002097.tif 000014